(57)【要約】【課題】本発明は、溶断トーチの可動域の外側に位置する溶接箇所の溶断を可能とする溶断機を提供することを目的とするものである。【解決手段】ガイドレール３に移動可能に取り付けられた走行台車４と、この走行台車４に、同走行台車４の移動方向と平面視で略直交する方向に突設されたトーチ架設部５と、このトーチ架設部５が最大移動地点に位置したときに、同最大移動地点より移動方向の外側に少なくとも先端が位置するようトーチ架設部５に回動可能に取り付けられた溶断用トーチ部７とを備える。【選択図】図１
2014083580.tif 000002
【特許請求の範囲】
【請求項１】
ガイドレールに移動可能に取り付けられた走行台車と、
該走行台車に、同走行台車の移動方向と平面視で略直交する方向に突設されたトーチ架設部と、
該トーチ架設部が同トーチ架設部の可動域のいずれか一方の端部に位置したときに、同可動域の外側に少なくとも先端が位置するよう前記トーチ架設部に回動可能に取り付けられた溶断用トーチ部とを備える
溶断機。
【請求項２】
ガイドレールに移動可能に取り付けられた走行台車と、
該走行台車に、同走行台車の移動方向と平面視で略直交する方向に突設されたトーチ架設部と、
該トーチ架設部に平面視で回動可能に取り付けられた溶断用トーチ部と、
該溶断用トーチ部に一端が連結されると共に、他端が前記トーチ架設部の可動域内のガイドレールに回動可能に係留された首振り連動棒部とを備える
溶断機。
【請求項３】
前記首振り連動棒部とガイドレールとの係留位置は、前記トーチ架設部の可動域の略中央位置とされた
請求項２に記載の溶断機。
【請求項４】
前記溶断用トーチ部は、前記トーチ架設部の先端に鉛直方向に上下調節可能とされた高さ調整部に取り付けられた
請求項１、請求項２または請求項３に記載の溶断機。
【請求項５】
前記ガイドレールは、同ガイドレール上に沿って取付けられたラック部を有し、
前記走行台車は、該ラック部に離脱可能に歯合された駆動歯車を有する
請求項１、請求項２、請求項３または請求項４に記載の溶断機。
【発明の詳細な説明】
【技術分野】
【０００１】
本発明は溶断機に関する。詳しくは、例えば、造船等におけるブロックの吊り環を自動的に溶断する溶断機に係るものである。
【背景技術】
【０００２】
従来、この種の溶断機として、例えば特許文献１に記載されたものが知られている。
具体的には、図１０に示すように、ガイドレール１０１に案内されて直線移動する走行代車１０２の走行方向での一側上面に横移動装置１０３が配置されている。
【０００３】
この横移動装置１０３に溶断トーチ１０４のトーチ支持軸１０５を走行代車１０２の走行方向と直交する方向で出退移動可能に支持し、このトーチ支持軸１０５に溶断トーチ１０４を上下昇降調節可能に支持させている。
【０００４】
ここで、例えば、図１１に示すように、造船場での船体ブロック（図示せず。）を吊り上げるための吊り環１１０は、フランジ１１１及びウエブ１１２のＨ型形状に構成されており、フランジ１１１及びフランジ１１１間のウエブ１１２と船体ブロックとの溶断を行わなければならない。
【０００５】
例えば、上述の特許文献１に記載された溶断機でフランジ１１１間のウエブ１１２の溶断を行う場合には、フランジ１１１間に溶断トーチ１０４を位置させた状態でウエブ１１２に溶接箇所に沿って溶断トーチ１０４を移動させながら溶断を行う。
【先行技術文献】
【特許文献】
【０００６】
【特許文献１】特開平７−１５５９４１号公報
【発明の開示】
【発明が解決しようとする課題】
【０００７】
しかしながら、ウエブ１１２の両端部分での溶断では、フランジ１１１に溶断トーチ１０４が当たることでウエブ１１２の端部に火炎が到達せずに溶断することができず、両端部のみを手作業によるガス切断を行わなければならない。
【０００８】
本発明は、以上の点に鑑みて創案されたものであって、溶断トーチの可動域の外側に位置する溶接箇所の溶断を可能とする溶断機を提供することを目的とするものである。
【課題を解決するための手段】
【０００９】
上記の目的を達成するために、本発明に係る溶断機は、ガイドレールに移動可能に取り付けられた走行台車と、該走行台車に、同走行台車の移動方向と平面視で略直交する方向に突設されたトーチ架設部と、該トーチ架設部が同トーチ架設部の可動域のいずれか一方の端部に位置したときに、同可動域の外側に少なくとも先端が位置するよう前記トーチ架設部に回動可能に取り付けられた溶断用トーチ部とを備える。
【００１０】
ここで、走行台車の移動方向と平面視で略直交する方向に突設されたトーチ架設部によって、溶接箇所と平行状に走行台車を移動させることで同溶接箇所に対して略直角状にトーチ架設部を移動することができる。
【００１１】
また、トーチ架設部がトーチ架設部の可動域のいずれか一方の端部に位置したときに、可動域の外側に少なくとも先端が位置するようトーチ架設部に回動可能に取り付けられた溶断用トーチ部によって、溶断用トーチ部の先端が可動域の外側に位置するように回動することでトーチ架設部の可動域以上の溶断をすることが可能となる。
【００１２】
また、上記の目的を達成するために、本発明に係る溶断機は、ガイドレールに移動可能に取り付けられた走行台車と、該走行台車に、同走行台車の移動方向と平面視で略直交する方向に突設されたトーチ架設部と、該トーチ架設部に平面視で回動可能に取り付けられた溶断用トーチ部と、該溶断用トーチ部に一端が連結されると共に、他端が前記トーチ架設部の可動域内のガイドレールに回動可能に係留された首振り連動棒部とを備える。
【００１３】
ここで、走行台車の移動方向と平面視で略直交する方向に突設されたトーチ架設部によって、溶接箇所と平行状に走行台車を移動させることで同溶接箇所に対して略直角状にトーチ架設部を移動することができる。
【００１４】
また、トーチ架設部に平面視で回動可能に取り付けられた溶断用トーチ部によって、溶断用トーチ部の先端を、トーチ架設部の可動域の外側に回動させることができる。
【００１５】
また、溶断用トーチ部に一端が連結されると共に、他端がトーチ架設部の可動域内のガイドレールに回動可能に係留された首振り連動棒部によって、トーチ架設部が可動域のいずれか一方の端部に近づくにつれて首振り連動棒部がガイドレールとの係留位置を起点として回動することができる。
これにより、首振り連動棒部と連結される溶断用トーチ部の少なくとも先端が、トーチ架設部の可動域の外側に位置することができる。
【００１６】
また、本発明に係る溶断機において、首振り連動棒部とガイドレールとの係留位置が、トーチ架設部の可動域の略中央位置とされた場合には、首振り連動棒部が可動域の両端部側方向へ同等の角度で回動可能となる。
これにより、溶断用トーチ部の先端が可動域の外側へ同等の角度で位置することが可能となる。
【００１７】
また、本発明に係る溶断機において、溶断用トーチ部が、トーチ架設部の先端に鉛直方向に上下調節可能とされた高さ調整部に取り付けられた場合には、切断箇所の位置高さに応じての溶断が可能となる。
【００１８】
また、本発明に係る溶断機において、前記ガイドレールは、同ガイドレール上に沿って取付けられたラック部を有し、前記走行台車は、該ラック部に離脱可能に歯合された駆動歯車を有することができるものとする。
【００１９】
ここで、ガイドレール上に沿って取付けられたラック部によって、走行台車に搭載される駆動モータ等で駆動回転な歯車とラック部とを歯合させることで走行台車をガイドレール上に沿って確実に移動が可能となる。
【００２０】
また、ラック部に離脱可能に歯合された駆動歯車を有することによって、走行台車の発進、あるいは停止を自在に行うことが可能となる。
【発明の効果】
【００２１】
本発明の溶断機によれば、溶断用トーチ部の先端を、トーチ架設部の可動域の端部より移動方向の外側に位置するように回動させることで溶接箇所の端部の完全な溶断を可能とするものである。
【図面の簡単な説明】
【００２２】
【図１】本発明を適用した溶断機の一例を説明するための平面模式図である。
【図２】本発明を適用した溶断機の一例を説明するための側面模式図である。
【図３】本発明を適用した溶断機の走行台車とガイドレールとの要部を説明するための模式図である。
【図４】本発明を適用した溶断機の走行台車の内部機構の一例を説明するための模式図である。
【図５】本発明を適用した溶断機の高さ調整部の内部機構の一例を説明するための模式図である。
【図６】本発明を適用した溶断機の燃焼ガス供給部の一例を説明するための模式図である。
【図７】本発明を適用した溶断機の首振り連結棒部の一例を説明するための模式図である。
【図８】本発明を適用した溶断機の溶断用トーチ部の回動状態を説明するための模式図である。
【図９】本発明を適用した溶断機の使用状態の一例を説明するための模式図である。
【図１０】従来の溶断機の一例するための模式図である。
【図１１】ブロックの吊り環の溶断の一例を説明するための模式図である。
【発明を実施するための形態】
【００２３】
以下、本発明の実施の形態を図面を参酌しながら詳述する。
図１は本発明を適用した溶断機の一例を説明するための平面模式図、図２は本発明を適用した溶断機の一例を説明するための側面模式図である。
【００２４】
ここで示す溶断機１は、ガイドレール３と、このガイドレール３に沿って往復移動可能とされた走行台車４と、この走行台車４にガイドレール３に対して平面視で略直角方向に突設されたトーチ架設部５から構成されている。
【００２５】
更に、トーチ架設部５の先端には、鉛直方向への高さ調整が可能な高さ調整部６が取付けられ、この高さ調整部６の下部に平面視で走行台車４の走行方向への回動可能な溶断用トーチ部８が枢着された構成とされている。
【００２６】
ここで、ガイドレール３は、例えば吊り環のウエブ長さを考慮して、長さが６００ｍｍ、幅が７５ｍｍ、高さが６７ｍｍの寸法とされ、更にその上面に長さが５０５ｍｍ及び幅が１０ｍｍのラック部２がガイドレール３の長手方向に沿って敷設されている。
【００２７】
また、走行台車４は、図３に示すように、ガイドレール３の長手方向の両側に沿って形成された突条部４８に係合しながら回転可能とされた支持車輪９、９が配置されたシャーシ１０と、このシャーシ１０上に立設されたケース部１１とから構成されている。
【００２８】
更に、シャーシの短手端部にはラック部２が遊挿可能な溝部４２が開口され、ガイドレール３上をシャーシ１０が自在に移動できる構成とされている。
【００２９】
ここで、図４に示すように、ケース部１１内にはラック部２に歯合する平歯車１２と、この平歯車１２に歯合する電動モータの一例としてインダクションモータ１３の駆動軸１４に取り付けられた駆動歯車１５が内設されている。
【００３０】
また、平歯車１２はケース部１１外に設けられたクラッチレバー１６で駆動歯車１５と切り離しを自在に行えるクラッチ機構が設けられている。
【００３１】
また、ケース部１１の上面には駆動軸１４の回転速度を加減するためのスピードダイヤル１７及び駆動歯車１５の正，逆回転の切替えスイッチ１８及び電源スイッチ１９が設けられている。
【００３２】
また、ケース部１１に基台２０が併設され、その上面にトーチ架設部５（図４には図示せず。）がガイドレール３に対して平面視で略直角方向に突設されている。
【００３３】
また、高さ調整部６は、図５に示すように、ガイド部２１の上端開口部２９に、締結用ボルト２４でブッシュ２３が取り付けられ、このブッシュ２３にエンプラノブ２２の回転軸部４９がワッシャ２５で回転自在な状態で遊挿されている。
【００３４】
更に、エンプラノブ２２の回転軸部４９の先端には調整ボルト２６が一体的に延設され、この調整ボルト２６にスライドナット２７が螺合されている。
【００３５】
また、スライドナット２７下端にはシャフト２８がガイド部２１の下端開口部３０から突出した状態で連結されている。
【００３６】
このような構成とすることで、エンプラノブ２２を左右に回して調整ボルト２６を回転させ、この調整ボルト２６に螺合するスライドナット２７を上下移動させることが可能となる。
これにより、スライドナット２７に連結されるシャフト２８がガイド部２１の下端開口部３０から下方への突出が可能となる。
【００３７】
更に、図６に示すように、シャフト２８の下端には、トーチ架設部５と平行状となるようにシャフト２８の下端を挟むようにして支持クランプ３１が締結用ボルト２４Ａで締結固定されている。
【００３８】
また、支持クランプ３１の先端側にはボルト軸部２９が遊挿できる内径を有するカラー３３が締結用ボルト２４Ａで挟持した状態で取り付けられている。
【００３９】
ここで、カラー３３内にボルト軸部２９が回転自在な状態で遊挿されてトーチ支持部７の上面に設けられたネジ穴（図示せず。）に螺着された構成とされている。
このような構成とされることでトーチ支持部７はボルト軸部２９を中心軸として左右回動可能な状態とされている。
【００４０】
このトーチ支持部７は、溶断用トーチ部８の胴部３７の外周面の一部が嵌入可能な凹部３４、３４Ａが形成された挟持板部３５、３５Ａから構成されている。そして、溶断用トーチ部８の胴部３７が挟持板部３５、３５Ａの凹部３４、３４Ａで互いに嵌め入れられて締結用ボルト２４Ｂで締結固定された構成とされている。
【００４１】
また、溶断用トーチ部８は、火口部３６と胴部３７とから構成されている。更に、図７に示すように、胴部３７の基端には燃焼ガス及び酸素を供給するためのゴムホース３８が連結されている。
【００４２】
これらのゴムホース３８は、トーチ架設部５（台車２０、ケース部１１は省略する。）上に配置された燃焼ガス供給部３９に設けられるノズル４０に取り付けられている。これらのノズル４０にダイヤル式の開閉弁４１が設けられている。
【００４３】
更に、燃焼ガス供給部３９は、燃焼ガスと酸素からのゴムホース（図示せず。）を接続するための取入れノズル（図示せず。）が設けられている。
【００４４】
また、ガイドレール３の下面に係留用ピン４４が鉛直状に取り付けられている。この係留用ピン４４と溶断用トーチ８の胴部３７に取り付けられた環部４７との間に、一端が環部４７に溶接等で連結されると共に、他端がＵ字状に分岐された分岐体４５内に係留用ピン４４が位置する首振り連動棒部４６が設けられている。
【００４５】
ここで、図８に示すように、係留用ピン４４に首振り連動棒部４６の分岐体４５が係留可能な状態でトーチ架設部５が可動域Ｄ内を移動可能な構成とされている。
【００４６】
このような構成されることで、係留用ピン４４を分岐体４５の中心位置に設置し、トーチ架設部５を可動域Ｄのいずれかの端部方向へ動かすと、係留用ピン４４と分岐体４５が当たり始めた時点から溶断用トーチ部８が可動域Ｄの端部方向へ回動する。
【００４７】
この結果、溶断用トーチ部８の火口部３６が可動域Ｄの端部から外側方向へ回動することになる。
【００４８】
なお、本実施の形態では、走行台車４をラック部２とインダクションモータ１３に連動された平歯車１２との歯合で移動可能な機構とされた場合を例に挙げて説明を行っているが、カイドレール３上を往復移動可能な機構であれば、いかなる機構であっても構わない。
【００４９】
また、本実施の形態では、高さ調整部６をガイド部２１内の調整ボルト２６に螺合するスライドナット２７で支持クランプ３１の高さ調整を行う機構とされた場合を例に挙げて説明を行っているが、支持クランプ３１の高さ調整を行うことができる機構であれば、その他の機構であってもよい。
【００５０】
例えば、上下スライド式の機構で、かつ鉛直方向への高さ調整が行えるものであればいかなる機構であっても構わない。
【００５１】
また、本実施例の形態では、溶断用トーチ部８の胴部３７に取り付けられた環部４７とガイドレール３の下面に設けられた係留用ピン４４との間に首振り連動棒部４６を設けた機構とされた場合を例に挙げて説明を行っているが、溶断用トーチ部８を走行台車の進行方向に向けて平面視で回動可能な機構のものであればいかなる機構であっても構わない。
【００５２】
本発明の溶断機では、図９に示すように、例えば造船等におけるブロックの吊り環ＡのウエブＢをブロック（図示せず。）より溶断する場合には、まず、ウエブＢの溶接部分Ｃに沿ってガイドレール３の位置決めを行う。
【００５３】
この場合に、ウエブＢの溶接部分Ｃに対して一定間隔を設けてガイドレール３を平行状に配置し、溶断用トーチ部８の高さ調整等を行って溶断用トーチ部８の火口部３６が溶接部分Ｃに向けた方向となるように調整する。
【００５４】
ここで、前記図４において詳述したように、クラッチレバー１６で駆動歯車１５と平歯車１２の歯合を解除した状態で、インダクションモータ１３を駆動させる。
【００５５】
続いて、酸素ボンベ及び燃焼ガスボンベ（図示せず。）からゴムホース（図示せず。）を通して燃焼ガス供給部３９内に酸素及び燃焼ガスを供給する。この燃焼ガス供給部３９内に供給された酸素及び燃焼ガスは、ノズル４０からゴムホース３８を通して溶断用トーチ部８へと供給される。
【００５６】
そこで、溶断用トーチ部８の火口部３６から噴出される酸素及び燃焼ガスとの混合ガスに着火して燃焼ガス供給部３９の操作レバー（図示せず。）で火炎がウエブＢの溶接部分Ｃに噴射されるように調整を行う。
【００５７】
このようにして前準備を行った上で、平歯車１２を駆動回転させることでガイドレール３の長手方向に沿って走行台車４が移動する。
【００５８】
ここで溶接部分Ｃの略中央が起点となるように溶断用トーチ８の火口部３６を配置する。この場合に、溶断用トーチ８部はガイドレール３の長手方向に対して略直角状とする。
【００５９】
この位置から図中Ｅ矢印方向へトーチ架設部５を移動させた場合に、前記図８に示すように、首振り連動棒部４６は分岐体４５内に係留用ピン４４が係留しながらＥ矢印方向へ回動する。これにより、首振り連動棒部４６と連結された溶断用トーチ部８はトーチ支持部７に対してＥ矢印方向へ回動する。
【００６０】
このようにしてトーチ架設部５の可動域Ｄの端部にトーチ架設部５が近づくにつれて、溶断用トーチ部８がＥ矢印方向へ回動して火口部３６先端が可動域Ｄの外側に位置する。
ここで、火口部３６から火炎が噴射されることによって、溶接部分Ｃの一方の端部を完全に溶断することが可能となる。
【００６１】
次に、インダクションモータ１３を逆回転させてトーチ架設部５を溶接部分Ｃの中央に戻しながら図中Ｆ方向へ移動させる。
【００６２】
ここで、首振り連動棒部４６は分岐体４５内に係留用ピン４４が係留しながらＦ矢印方向へ回動する。これにより、首振り連動棒部４６と連結された溶断用トーチ部８はトーチ支持部７に対してＦ矢印方向へ回動する。
【００６３】
このようにしてトーチ架設部５の可動域Ｄの端部にトーチ架設部５が近づくにつれて、溶断用トーチ部８がＦ矢印方向へ回動して火口部３６先端が可動域Ｄの外側に位置する。
ここで、火口部３６から火炎が噴射されることによって、溶接部分Ｃの一方の端部を完全に溶断することが可能となる。
【００６４】
以上の構成よりなる本発明の溶断機では、溶接の端部に走行台車が近づくにつれて溶断用トーチ部が溶接端部の外側方向に回動することで溶接部分の端部を残すことなく完全に溶断することが可能となる。
【００６５】
また、例えば造船等におけるブロックの吊り環の場合では、溶接箇所に対して走行台車を平行状に往復動させることで溶接部分の溶断が一定、かつ確実に溶断することが可能となる。
【００６６】
これにより、ブロック及び吊り環の溶断面が均一な面に仕上がることで溶断面の修正をすることなく吊り環直ぐに再利用することができる。
【符号の説明】
【００６７】
１          溶断機
２          ラック部
３          ガイドレール
４          走行台車
５          トーチ架設部
６          高さ調整部
７          トーチ支持部
８          溶断用トーチ部
９          支持車輪
１０        シャーシ
１１        ケース部
１２        平歯車
１３        インダクションモータ
１４        駆動軸
１５        駆動歯車
１６        クラッチレバー
１７        スピードダイヤル
１８        切替えスイッチ
１９        電源スイッチ
２０        基台
２１        ガイド部
２２        エンプラノブ
２３        ブッシュ
２４、２４Ａ、２４Ｂ        締結用ボルト
２５        ワッシャ
２６        調整ボルト
２７        スライドナット
２８        シャフト
２９        ボルト軸部
３０        下端開口部
３１        支持クランプ
３３        カラー
３４、３４Ａ  凹部
３５、３５Ａ  挟持板部
３６        火口部
３７        胴部
３８        ゴムホース
３９        燃焼ガス供給部
４０        ノズル
４１        開閉弁
４２        溝部
４４        係留用ピン
４５        分岐体
４６        首振り連結棒部
４７        環部
４８        突条部
４９        回転軸部
【図１】
2014083580.tif 000003
【図２】
2014083580.tif 000004
【図３】
2014083580.tif 000005
【図４】
2014083580.tif 000006
【図５】
2014083580.tif 000007
【図６】
2014083580.tif 000008
【図７】
2014083580.tif 000009
【図８】
2014083580.tif 000010
【図９】
2014083580.tif 000011
【図１０】
2014083580.tif 000012
【図１１】
2014083580.tif 000013